(57)【要約】【課題】別々の用途の複数の上ボタン及び下ボタンが設けられており、詳細項目設定の際にメニューを使用した設定を行う際にどちらの上ボタン及び下ボタンを使用すればよいのか判らないことがあった。本発明はこれらの問題を解決し、使用者が使用目的に応じたボタンを正しく選択できるよう操作性に優れた給湯機用操作装置を提供することを目的とする。【解決手段】個別機能の設定をおこなうための詳細機能設定用ボタン７を枠９で囲み、関連付けを行うことにより、解決できる。【選択図】  図２
2011052896.tif 000002
【特許請求の範囲】
【請求項１】
給湯温度を上昇させる昇温ボタン及び給湯温度を低下させる降温ボタンが表面に露出して設けられ、
詳細機能設定用ボタンが開閉可能なカバーに覆われて設けられ、
前記詳細機能設定用ボタンは、複数の機能設定を選択可能な状態で呼び出すメニューボタンと、決定ボタンと、戻るボタンと、前記メニューボタンが押されることによって呼び出されたメニューを選択すべくカーソルを上下左右に動かすための上ボタン，下ボタン,左ボタン，右ボタンを有する十字ボタンと、ふろ温度ボタンと、浴槽の水位を設定する水位ボタンとを備え、
前記詳細機能設定用ボタンを構成する各ボタンは、他のボタンとは視覚的に区別され、
前記詳細機能設定用ボタンが備える十字ボタンのうち、上ボタン及び下ボタンは、前記メニューを選択するのに用いられるとともに、ふろ温度及び浴槽の水位を上昇及び低下させる際にも用いられることを特徴とする給湯機用の操作装置。
【請求項２】
前記詳細機能設定用ボタンを構成するボタンは、枠によって囲まれた特定の領域内に配置されることを特徴とする請求項１に記載の給湯機用の操作装置。
【請求項３】
請求項１又は請求項２に記載の操作装置を備える給湯機。
【発明の詳細な説明】
【技術分野】
【０００１】
本発明は、給湯機用の操作装置及び該操作装置を備える給湯機に関する。
【背景技術】
【０００２】
一般に給湯機は、その沸き上げの方法や、シャワーや蛇口などへ給湯する際の温度の設定，ふろに設定温度，設定量のお湯を入れ、設定時間の間、一定に保つなどの機能を操作する手段として、操作装置が設けられている（例えば、特許文献１）。
【０００３】
この操作装置は、給湯機のさまざまな機能を操作するボタンが設けられており、使用者にて機能運転や、使い勝手に合わせた設定を行う。
【先行技術文献】
【特許文献】
【０００４】
【特許文献１】特開２００９−１３５８２３号公報
【発明の概要】
【発明が解決しようとする課題】
【０００５】
前述の操作装置は、使用者の幅広いニーズに応えるべく、細やかな設定ができるようになしており、複数のボタンが設けられていることが多く、機械操作に不慣れな使用者には操作が難しくなってきている。
【０００６】
また、当該操作装置に機能や設定項目に応じた全てのボタンを設けるには、大きさに制約があるため、メニュー画面１０を表示し、詳細の設定項目をメニュー画面１０より選択して行う方式のものもある。
【０００７】
特に、シャワーや蛇口などへ給湯する際の温度である給湯温度の設定を行うために上ボタン及び下ボタンが設けられており、これとは別に、メニュー画面１０を用いた機能設定の項目を選択するためや、個別機能の設定を行うために、別途上ボタン及び下ボタンが設けられており、当該メニューを使用した設定を行う際にどちらの上ボタン及び下ボタンを使用すればよいのか判らないことがあった。
【０００８】
本発明はこれらの問題を解決し、使用者が使用目的に応じたボタンを正しく選択できるよう操作性に優れた給湯機用操作装置を提供することを目的とする。
【課題を解決するための手段】
【０００９】
個別機能の設定を行うためのボタンと、メニュー画面１０を呼び出すボタンと、複数の機能設定の項目を選択するために兼用して設けられた上ボタン及び下ボタンを枠で囲み、関連付けを行うことにより、解決できる。
【００１０】
即ち、本発明に係る給湯機及び給湯機用の操作装置は、給湯温度を上昇させる昇温ボタン及び給湯温度を低下させる降温ボタンが表面に露出して設けられ、詳細機能設定用ボタンが開閉可能なカバーに覆われて設けられ、前記詳細機能設定用ボタンは、複数の機能設定を選択可能な状態で呼び出すメニューボタンと、決定ボタンと、戻るボタンと、前記メニューボタンが押されることによって呼び出されたメニューを選択すべくカーソルを上下左右に動かすための上ボタン，下ボタン，左ボタン，右ボタンを有する十字ボタンと、ふろ温度ボタンと、浴槽の水位を設定する水位ボタンとを備え、前記詳細機能設定用ボタンを構成する各ボタンは、他のボタンとは視覚的に区別され、前記詳細機能設定用ボタンが備える十字ボタンのうち、上ボタン及び下ボタンは、前記メニューを選択するのに用いられるとともに、ふろ温度及び浴槽の水位を上昇及び低下させる際にも用いられることを特徴とする。
【００１１】
また、前記詳細機能設定用ボタンを構成するボタンは、枠によって囲まれた特定の領域内に配置されることが好ましい。
【発明の効果】
【００１２】
操作に必要なボタンの関連付けを行うことにより、機械操作に不慣れな使用者であっても、関連するボタンを視覚的に連想しやすく、また操作性に優れた給湯機用の操作装置を提供することができる。
【図面の簡単な説明】
【００１３】
【図１】本発明の一実施形態に係る操作装置を示す正面図。
【図２】本発明の一実施形態に係る操作装置を示す扉開放図。
【図３】メニュー画面呼び出し直後の画面図。
【図４】メニュー画面による項目選択時の画面図。
【図５】ふろ温度設定時の画面図。
【図６】水位設定時の画面図。
【発明を実施するための形態】
【００１４】
以下、本発明の実施形態について添付図面を参照して説明する。
【００１５】
図１は、本発明の第１実施形態に係わる給湯機用の操作装置を示す正面図である。
【００１６】
＜給湯機用の操作装置の全体構成＞
図１及び図２に示すように、操作装置１は、複数のボタン５，６，７を備えるものであり、その他に表示部２やマイク３等を備える。操作装置１は、給湯機の制御装置を遠隔操作するものである場合にはリモコンと呼ばれる。
【００１７】
前記複数のボタン５，６，７のうち、使用頻度が高いボタン５は、開閉可能なカバーとしての扉４の外に配設された操作パネル８上に配置される。使用頻度が低い機能の運転指示ボタン６や、詳細機能設定用ボタン７は、扉４の内側に配置され、通常は扉４を閉めて隠すことにより操作パネル８上に配置された使用頻度が高いボタン５の視認性，操作性を向上させている。
【００１８】
使用頻度が高いボタン５として、当該実施例の一形態では、シャワーや蛇口などへ給湯する際の温度の設定を行うための昇温ボタン５ａ−１，降温ボタン５ａ−２を設けている。このとき、昇温ボタン５ａ−１には上方へ変更されることを示す表示（例えば、上向き三角）がなされ、降温ボタン５ａ−２には下方へ変更されることを示す表示（例えば、下向き三角）がなされている。
【００１９】
その他、別途設定された温度・量の湯を浴槽に入れるふろ自動機能の発停指示ボタン５ｂと、浴槽内の湯量を変えず、昇温のみを行う追いだき機能の発停指示ボタン５ｃと、浴槽に一定量の湯を追加するたし湯機能の発停指示ボタン５ｄと、操作装置１の機能停止を行うリモコン切／入の発停指示ボタン５ｅと、浴室に取り付ける操作装置１のみに機能操作を限定する浴室優先機能の発停指示ボタン５ｆと、操作方法や現在の設定方法を音声にて紹介するおしえて機能の発停ボタン５ｇと、浴室に取り付けた操作装置１と浴室以外の他の部屋、例えば台所に取り付けた副操作装置（図示しない）との間でインターホンとして使用する通話機能の発停ボタン５ｈとを操作パネル８上に配置している。
【００２０】
扉４の内側には、使用頻度が低い機能の運転指示ボタン６として、浴槽に一定量の水を追加するさし水機能の発停ボタン６ａと、浴槽に一定量の高温湯を追加する高温さし湯機能の発停ボタン６ｂと、貯湯タンクを有し、主に深夜に当該貯湯タンク内の湯を沸き上げる電気給湯機での実施例の場合、通常貯湯タンク内の湯の温度を検知し、残り湯量が少なくなった場合、自動的に当該貯湯タンク内の湯を沸き上げるが、使用者の湯の使用状況により、使用者が自発的に沸き上げ運転を行うタンク沸き増し機能の発停ボタン６ｃと、別途設定された温度・量の湯を浴槽に入れるふろ自動機能を、浴槽に湯を入れる途中で一旦停止し、目標の温度・量が浴槽に入っているか確認を行い、再調整の後に残りの湯を入れる通常湯はりモードと、途中で一旦停止し、当該確認，再調整の工程を省略した高速湯はりモードとを切り換える高速湯はりモード切り換えボタン６ｄと、浴槽の栓が抜かれたことを検知し、給湯機と浴槽との間の循環配管を自動的に洗浄を行う自動洗浄機能の発停指示ボタン６ｅとを配置している。
【００２１】
また、詳細機能設定用ボタン７として、前述のふろ自動機能時に浴槽に入れる湯の温度を設定する画面１４を表示するふろ温度ボタン７ａと、当該ふろ自動機能時に浴槽に入れる湯の量を水位として設定する画面１５を表示する水位ボタン７ｂと、詳細な機能設定項目１３を設定するメニュー画面１０を表示させるメニューボタン７ｃと、メニュー画面１０にて設定した内容を確定させる決定ボタン７ｄと、浴槽に入れる湯の温度を設定する画面や、浴槽に入れる湯の量を水位として設定する画面や、メニュー画面１０などを間違えて選択した際などに、ひとつ前の画面に戻る、戻るボタン７ｅと、メニュー画面１０において、各項目の選択を行う、左ボタン７ｆ−１，右ボタン７ｆ−２と、メニュー画面１０において、各項目の選択を行うか、または設定する変更を上下させるために兼用される上ボタン７ｇ−１，下ボタン７ｇ−２とを、扉４の内側に配置している。また、上ボタン７ｇ−１には、上方へ変更されることを示す表示（例えば、上向き三角）がなされ、下ボタン７ｇ−２には下方へ変更されることを示す表示（例えば、下向き三角）がなされ、左ボタン７ｆ−１には、左方へ変更されることを示す表示（例えば、左向き三角）がなされ、右ボタン７ｆ−２には、右方へ変更されることを示す表示（例えば、右向き三角）がなされている。
【００２２】
このとき、使用頻度が高いボタン５は、扉４の外側の操作パネル８上に配置されているため、扉４を閉めた状態であっても、各ボタンを操作することができる。また、見えているボタンが少ないため、使用しようとするボタンを容易に探すことができ、操作性を向上することができる。
【００２３】
扉４内に配置された詳細機能設定用ボタン７のうち、上ボタン７ｇ−１，下ボタン７ｇ−２ボタンは、ふろ温度の設定，水位の設定，メニュー項目の選択・設定の複数の機能設定に兼用されている。
【００２４】
取扱説明書（図示しない）等により、これらの設定には上ボタン，下ボタンを使用するよう、使用者に対し指示しているが、これらの詳細機能設定用ボタン７は使用頻度が低いため、実際に使用する際には、これらの指示を忘れていることが多い。このため、前述の設定の際に、上ボタン，下ボタンを使用するよう画面上に表示している。
【００２５】
ところが、上方への変更、及び、下方への変更を示す表示がなされたボタンとしては、上ボタン，下ボタンは、上ボタン７ｇ−１，下ボタン７ｇ−２のほかに、昇温ボタン５ａ−１，降温ボタン５ａ−２が別途設けられているため、使用者はどちらを使用すればよいか迷ったり、押し間違えてしまうことがある。
【００２６】
このため、上ボタン７ｇ−１，下ボタン７ｇ−２を使用する個別機能の画面１５を表示させるボタンを、当該上ボタン７ｇ−１，下ボタン７ｇ−２の近傍に配置し、さらに、今回の実施例では詳細機能設定用ボタン７すべてを枠９で囲むことにより、関連することが視覚的に連想され易く、使用者が迷うことがない。当該実施例のほか、色分けなどにより、他のボタンと区別することによっても、同等の効果が得られる。
【符号の説明】
【００２７】
１  操作装置
２  表示部
３  マイク
４  扉
５  使用頻度が高いボタン
５ａ−１  昇温ボタン
５ａ−２  降温ボタン
５ｂ  ふろ自動機能発停指示ボタン
５ｃ  追いだき機能発停指示ボタン
５ｄ  たし湯機能発停指示ボタン
５ｅ  リモコン切／入発停指示ボタン
５ｆ  浴室優先機能発停指示ボタン
５ｇ  おしえて機能発停ボタン
５ｈ  通話機能発停ボタン
６  使用頻度が低い機能の運転指示ボタン
６ａ  さし水機能発停ボタン
６ｂ  高温さし湯機能の発停ボタン
６ｃ  タンク沸き増し機能発停ボタン
６ｄ  高速湯はりモード切り換えボタン
６ｅ  自動洗浄機能発停指示ボタン
７  詳細機能設定用ボタン
７ａ  ふろ温度ボタン
７ｂ  水位ボタン
７ｃ  メニューボタン
７ｄ  決定ボタン
７ｅ  戻るボタン
７ｆ−１  左ボタン
７ｆ−２  右ボタン
７ｇ−１  上ボタン
７ｇ−２  下ボタン
８  操作パネル
９  枠
１０  メニュー画面
１１  ふろ温度設定画面
１２  水位設定画面
１３  機能設定の項目
１４  詳細の設定項目
１５  個別機能設定
【図１】
2011052896.tif 000003
【図２】
2011052896.tif 000004
【図３】
2011052896.tif 000005
【図４】
2011052896.tif 000006
【図５】
2011052896.tif 000007
【図６】
2011052896.tif 000008